(57)【要約】【課題】暗号化技術に頼らずに通信傍受を回避可能とする安価なＩＰ電話装置での通信システムの提供を目的とする。【解決手段】第１のＩＰ電話装置若しくは第２のＩＰ電話装置は、パケットによるデータ転送処理に使用するトランスポート層のポート番号を決定し、決定したトランスポート層のポート番号を対向する通話相手に通知し、トランスポート層のポート番号の通知を受けた通話相手は、パケットの通信を行うトランスポート層のポート番号を変更し、トランスポート層のポート番号の変更は、通話中に少なくとも１回行う。【選択図】  図３
2004173059.tif 000002
【特許請求の範囲】
【請求項１】
音声をデジタル信号に変換し、ＴＣＰ／ＩＰプロトコルによるパケットの伝送により第１のＩＰ電話装置と第２のＩＰ電話装置との間で通話を行うＩＰ電話装置を用いた通信方法において、
前記第１のＩＰ電話装置若しくは前記第２のＩＰ電話装置は、前記パケットによるデータ転送処理に使用するトランスポート層のポート番号を決定し、
該決定したトランスポート層のポート番号を対向する通話相手に通知し、
該トランスポート層のポート番号の通知を受けた通話相手は、前記パケットの通信を行うトランスポート層のポート番号を変更し、
該トランスポート層のポート番号の変更は、前記第１のＩＰ電話装置と前記第２のＩＰ電話装置との通話中に少なくとも１回行われる
ことを特徴とするＩＰ電話装置を用いた通信方法。
【請求項２】
前記第１のＩＰ電話装置および前記第２のＩＰ電話装置は、
ＩＰ接続機能を備えるゲートウェイ、ＩＰ接続機能を備える交換機、ボタン電話機、交換機／ボタン電話機用多機能電話端末機、パーソナルコンピュータ上のソフトウェアにて電話機能を実現するＩＰ電話装置のいずれかである
ことを特徴とする請求項１記載のＩＰ電話装置を用いた通信方法。
【請求項３】
前記トランスポート層のポート番号の変更は、
前記第１のＩＰ電話装置若しくは前記第２のＩＰ電話装置の何れか一方で行われる
ことを特徴とする請求項１記載のＩＰ電話装置を用いた通信方法。
【請求項４】
前記トランスポート層のポート番号の変更は、
前記第１のＩＰ電話装置および前記第２のＩＰ電話装置の両装置で相互に行われる
ことを特徴とする請求項１記載のＩＰ電話装置を用いた通信方法。
【請求項５】
前記トランスポート層のポート番号の決定は、
該トランスポート層のポート番号の変更の都度行われる
ことを特徴とする請求項１記載のＩＰ電話装置を用いた通信方法。
【請求項６】
前記トランスポート層のポート番号の決定は、
該トランスポート層のポート番号の変更前に一括して決定される
ことを特徴とする請求項１記載のＩＰ電話装置を用いた通信方法。
【請求項７】
前記トランスポート層のポート番号の通知は、
該トランスポート層のポート番号を変更する毎に行われる
ことを特徴とする請求項１記載のＩＰ電話装置を用いた通信方法。
【請求項８】
前記トランスポート層のポート番号の通知は、
該トランスポート層のポート番号の変更前に一括して行われる
ことを特徴とする請求項１記載のＩＰ電話装置を用いた通信方法。
【請求項９】
音声をデジタル信号に変換し、ＴＣＰ／ＩＰプロトコルによるパケットの伝送により通話を行うＩＰ電話装置において、
前記パケットによるデータ転送処理に使用するトランスポート層のポート番号を決定する決定手段と、
前記決定手段で決定したトランスポート層のポート番号を対向する通話相手に通知する通知手段と、
前記決定手段によるトランスポート層のポート番号および前記通知手段による通知に基づき前記パケットの通信に用いるトランスポート層のポート番号を通話中に少なくとも１回変更する変更手段と
を具備することを特徴とするＩＰ電話装置。
【発明の詳細な説明】
【０００１】
【発明の属する技術分野】
本発明は、ＩＰ電話装置を用いた通信方法およびＩＰ電話装置に関し、特に、音声をデジタル信号に変換してＴＣＰ／ＩＰプロトコルによるパケットの伝送によりインターネット若しくはイントラネットを介して通話を行うＩＰ電話装置を用いた通信方法およびＩＰ電話装置に関する。
【０００２】
【従来の技術】
一般に、ＴＣＰ／ＩＰ通信は、無線通信と同様に通信傍受が比較的容易であるという技術的問題点を有する。
【０００３】
このため、仮に、企業内に専用線を配してイントラネットを構築したとしても、企業内部へ進入した悪意ある外部の人間、或いは、組織内部の人間によって容易に通信傍受が可能となる。
【０００４】
そこで、機密情報を取り扱う企業は、暗号化等のセキュリティ技術を用いて通信の秘匿性を確保している。
【０００５】
ところで、近年、音声をデジタル信号に変換してＴＣＰ／ＩＰプロトコルによるパケット通信を行うＩＰ電話装置が開発され、このＩＰ電話装置は、高度情報インフラとして期待されている。
【０００６】
しかし、ＴＣＰ／ＩＰ技術を使用したＩＰ電話装置での通話は、データ通信同様に通信を傍受される危険があるので、ＩＰ電話装置での通話は、音声通信の秘匿性を確保するために、データ通信と同様に暗号化技術の適用が必要になる。
【０００７】
従来のＴＣＰ／ＩＰ技術に適用されたセキュリティー技術として、特開２００１−３４５８０３号明細書に開示された「受話装置」が知られている。この装置は、データ通信ネットワークを介して送話装置と通信接続された受話装置であり、受け付けポートとは異なる通信ポートを複数のポートの中からランダムに、すなわち公知のアルゴリズムで生成された乱数に基づき選択し、その選択された通信ポートに送信して呼を確立するように構成されている。
【０００８】
そして、この方式によると、送話装置は受話装置に送信した呼出し中データを折り返し受信して初めて受話装置での通信ポートを知ることが可能となるため、悪意のある他の送話装置が、呼出し中データを送信せずに受話装置と秘密裏に呼の確立を行うことを困難にしている。
【０００９】
【発明が解決しようとする課題】
しかし、ＴＣＰ／ＩＰプロトコルを使用した通信では、送信側と受信側の通信ポート間で呼が確立された後に、通信ポートの番号が悪意ある第三者に判明されると、伝送データの傍受や、他人になりすまして大量のパケットデータを受話装置に対して送り付ける攻撃を受ける危険性がある。
【００１０】
また、暗号の解読や攻撃手段に使用されるパーソナルコンピュータは、高性能化、低価格化へと日々進化している。
【００１１】
これを受けて、秘匿性を確保する為の暗号化技術も、ハードウェア・ソフトウェア手段を駆使した高度な暗号ロジックを装備して対抗する反面、製品コストへの影響が大きく高価なもとのなっている。
【００１２】
また、音声データを処理するＩＰ電話装置は、大容量の音声パケットデータを遅延なく高品質で処理する能力が要求される。
【００１３】
また、企業のみならず家庭での利用を考慮した場合、ＩＰ電話装置による音声通信は、プライバシーを確保する為の秘匿性は当然であるが、製品のコストアップは市場に受け入れられないという問題がある。
【００１４】
そこで、本発明では、暗号化技術に頼らずに通信傍受を回避可能とするＩＰ電話装置を用いた通信方法およびＩＰ電話装置を提供することを目的とする。
【００１５】
【課題を解決するための手段】
上記目的を達成する為、請求項１の発明は、ＩＰ電話装置を用いた通信方法であり、音声をデジタル信号に変換し、ＴＣＰ／ＩＰプロトコルによるパケットの伝送により第１のＩＰ電話装置と第２のＩＰ電話装置との間で通話を行うＩＰ電話装置を用いた通信方法において、第１のＩＰ電話装置若しくは第２のＩＰ電話装置は、パケットによるデータ転送処理に使用するトランスポート層のポート番号を決定し、決定したトランスポート層のポート番号を対向する通話相手に通知し、トランスポート層のポート番号の通知を受けた通話相手は、パケットの通信を行うトランスポート層のポート番号を変更し、トランスポート層のポート番号の変更は、第１のＩＰ電話装置と第２のＩＰ電話装置との通話中に少なくとも１回行われることを特徴とする。
【００１６】
また、請求項２の発明は請求項１の発明のＩＰ電話装置を用いた通信方法であり、第１のＩＰ電話装置および第２のＩＰ電話装置は、ＩＰ接続機能を備えるゲートウェイ、ＩＰ接続機能を備える交換機、ボタン電話機、交換機／ボタン電話機用多機能電話端末機、パーソナルコンピュータ上のソフトウェアにて電話機能を実現するＩＰ電話装置のいずれかであることを特徴とする。
【００１７】
また、請求項３の発明は、請求項１の発明のＩＰ電話装置を用いた通信方法であり、トランスポート層のポート番号の変更は、第１のＩＰ電話装置若しくは第２のＩＰ電話装置の何れか一方で行われることを特徴とする。
【００１８】
また、請求項４の発明は、請求項１の発明のＩＰ電話装置を用いた通信方法であり、トランスポート層のポート番号の変更は、第１のＩＰ電話装置および第２のＩＰ電話装置の両装置で相互に行われることを特徴とする。
【００１９】
また、請求項５の発明は、請求項１の発明のＩＰ電話装置を用いた通信方法であり、トランスポート層のポート番号の決定は、トランスポート層のポート番号の変更の都度行われることを特徴とする。
【００２０】
また、請求項６の発明は、請求項１の発明のＩＰ電話装置を用いた通信方法であり、トランスポート層のポート番号の決定は、トランスポート層のポート番号の変更前に一括して決定されることを特徴とする。
【００２１】
また、請求項７の発明は、請求項１の発明のＩＰ電話装置を用いた通信方法であり、トランスポート層のポート番号の通知は、トランスポート層のポート番号を変更する毎に行われることを特徴とする。
【００２２】
また、請求項８の発明は、請求項１の発明のＩＰ電話装置を用いた通信方法であり、トランスポート層のポート番号の通知は、トランスポート層のポート番号の変更前に一括して行われることを特徴とする請求項１記載のＩＰ電話装置を用いた通信方法。
【００２３】
また、請求項９の発明は、音声をデジタル信号に変換し、ＴＣＰ／ＩＰプロトコルによるパケットの伝送により通話を行うＩＰ電話装置において、パケットによるデータ転送処理に使用するトランスポート層のポート番号を決定する決定手段と、決定手段で決定したトランスポート層のポート番号を対向する通話相手に通知する通知手段と、決定手段によるトランスポート層のポート番号および通知手段による通知に基づきパケットの通信に用いるトランスポート層のポート番号を通話中に少なくとも１回変更する変更手段とを具備することを特徴とする。
【００２４】
【発明の実施の形態】
以下、本発明のＩＰ電話装置による通信方法の実施の形態を添付図面を参照して詳細に説明する。
【００２５】
図１は、本発明の通信システムの概略図であり、ＩＰ電話装置Ａ２００およびＩＰ電話装置Ｂ３００がＩＰ網１００を介して通話を行うものである。
【００２６】
ここで、ＩＰ網１００を経由した装置間の音声通信は、ＩＰ（Ｉｎｔｅｒｎｅｔ  Ｐｒｏｔｏｃｏｌ  ）接続機能によりＩＴＵ−Ｔ勧告Ｈ．３２３や、ＩＥＴＦ標準のＭＥＧＡＣＯ、ＭＧＣＰなどのプロトコルによって呼の確立が行われ通話を行うものである。
【００２７】
本発明におけるＩＰ電話装置間での呼の確立および通話処理で送受信されるパケットデータの認証処理は、お互いのＩＰアドレスはもとより、データ受信時のポート番号とを合わせて認証し、通話中に少なくとも一回以上のポート番号の変更を動的に行う方式を特徴としている。
【００２８】
次に、ＩＰ電話装置の制御構成を図２のブロック図を参照して説明する。
【００２９】
ＩＰ電話装置Ａ２００およびＩＰ電話装置Ｂ３００は同一の制御構成であり、ＩＰ電話装置Ａ２００の制御構成として説明する。
【００３０】
ＩＰ電話装置Ａ２００の制御構成は、ＩＰ電話装置Ａ２００全体を制御するＣＰＵ２０１と、制御処理に必要なデータを一時的に保存するフラッシュメモリ２０２やＤ−ＲＡＭ（Ｄｙｎａｍｉｃ  ＲＡＭ）２０３と、１０ＢＡＳＥ―Ｔケーブル２１３を介してＩＰ網１００に接続する為のＩＰ接続インタフェース２０７と、キー／キーパット２１１や表示部２１２に接続され入出力を制御するＩ／Ｏコントローラ２０６と、信号処理専用のプロセッサＤＳＰ（Ｄｉｇｉｔａｌ  Ｓｉｇｎａｌ  Ｐｒｏｃｅｓｓｏｒ）２０４で処理されたデジタル信号を受話器２１０、マイク２０９、およびスピーカ２０８用の間に配置され符号化・復号化を行うＣＯＤＥＣ２０５とにより構成される。
【００３１】
次に、ＩＰ電話装置Ａ２００とＩＰ電話装置Ｂ３００との通話におけるシーケンスの例を図３、図４、図５、図６に示し説明する。
【００３２】
図３は、通話シーケンス第１の例として、通話シーケンス中に変更するポート番号の決定と変更したポート番号の相手装置へ通知処理を一つの処理セットとして行う場合のシーケンス図である。
【００３３】
ＩＰ電話装置Ａ２００は、発呼処理Ｓ１０１で呼制御開始要求Ｓ１０２を送信し、ＩＰ電話装置Ｂ３００を呼出し呼の確立を行う。
【００３４】
ＩＰ電話装置Ａ２００およびＩＰ電話装置Ｂ３００間の呼が確立されると、ＩＰ電話装置Ａ２００は、最初のポート番号Ｎ１の決定処理Ｓ１０３および、ポート番号Ｎ１の設定処理Ｓ１０４実施後、決定したポート番号をＩＰ電話装置Ｂ３００に通知すべく接続処理Ｓ１０５によりＩＰ電話機Ａ２００とＩＰ電話機Ｂ３００と間の通話接続が確立される。
【００３５】
ＩＰ電話装置Ａ２００はポート番号Ｎ１を使用してＩＰ電話装置Ｂ３００と通話Ｓ１０６を開始する。
【００３６】
そして、ＩＰ電話装置Ａ２００とＩＰ電話装置Ｂ３００との通話中、ＩＰ電話装置Ａ２００は、ポート番号Ｎ２の決定Ｓ１０７し、ポート番号Ｎ２への変更処理Ｓ１０８実施後、ＩＰ電話装置Ｂ３００に対してポート番号Ｎ２への変更通知Ｓ１０９を行う。
【００３７】
そして、ＩＰ電話装置Ａ２００は、変更したポート番号Ｎ２を使用しＩＰ電話装置Ｂ３００との通話Ｓ１１０を継続して行う。
【００３８】
以降、切断処理Ｓ１１５が実施され通話終了Ｓ１１６となるまで、通話中にポート番号Ｎｘの決定Ｓ１１１、ポート番号Ｎｘへの変更Ｓ１１２、相手電話装置へのポート番号変更通知Ｓ１１３、変更したポート番号Ｎｘでの通話Ｓ１１４を一つの処理セットとし、ポート切り替えおよび通話が繰り返して処理される。
【００３９】
この通話シーケンス第１の例を適用した場合、ポート番号が通話中に少なくとも一回以上変更される為、第三者による通話全体の傍受が困難となる。
【００４０】
次に、図４の通話シーケンスについて説明する。
【００４１】
図４は、通話シーケンス第２の例として、通話開始前に変更するポート番号を全て生成して通話相手となる電話装置に通知し、通話中でのポート番号の変更時は、その識別番号を相手に通知する通話シーケンスである。
【００４２】
ＩＰ電話装置Ａ２００は、発呼処理Ｓ２０１で呼制御開始要求Ｓ２０２を送信し、ＩＰ電話装置Ｂ３００を呼出し呼の確立を行う。
【００４３】
ＩＰ電話装置Ａ２００およびＩＰ電話装置Ｂ３００間の呼が確立されると、ＩＰ電話装置Ａ２００は、ポート番号Ｎ１〜Ｎｘまでの変更シナリオの作成Ｓ２０３により、通話中に変更するポート番号の生成とその識別番号を決定する。
【００４４】
そして、ＩＰ電話装置Ａ２００は、作成した変更シナリオの通知Ｓ２０４処理により作成したシナリオをＩＰ電話装置Ｂ３００に通知する。
【００４５】
最初のポート番号Ｎ１の設定処理Ｓ２０５実施後、決定したポート番号の識別番号をＩＰ電話装置Ｂ３００に通知すべく接続処理Ｓ２０６によりＩＰ電話機Ａ２００とＩＰ電話機Ｂ３００との間の通話接続が確立される。
【００４６】
ＩＰ電話装置Ａ２００は、ポート番号Ｎ１を使用して通話Ｓ２０７を開始する。
【００４７】
以降、通話中のポート番号の変更は、ポート番号Ｎｘへの変更処理Ｓ２１１と、ポート番号Ｎｘ（識別番号ｘ）への変更通知Ｓ１１２と、ポート番号Ｎｘでの通話Ｓ２１３とが一つの処理セットとなり、切断処理Ｓ２１４による通話終了Ｓ２１５迄ポート番号を変更してながら通話処理が繰り返し実施される。
【００４８】
通話シーケンス第２の例を適用した場合、変更ポート番号の代わりに識別情報をパケットデータに設定して通知する為、変更したポート番号がトラフィックデータから第三者へ直接漏洩する危険を回避することができる。
【００４９】
次に、図５の通話シーケンスについて説明する。
【００５０】
図５は、通話シーケンス第３の例として、通話開始前にポート番号の変更シナリオを作成し、通話中に変更したポート番号の通知は、ポート番号の変更の都度相手に通知する通話シーケンスである。
【００５１】
ＩＰ電話装置Ａ２００は、発呼処理Ｓ３０１で呼制御開始要求Ｓ３０２を送信し、ＩＰ電話装置Ｂ３００を呼出し呼の確立を行う。
【００５２】
ＩＰ電話装置Ａ２００およびＩＰ電話装置Ｂ３００間の呼が確立されると、ＩＰ電話装置Ａ２００は、ポート番号Ｎ１〜Ｎｘまでの変更シナリオの作成Ｓ３０３を行い、最初の通話接続ポート番号Ｎ１の設定Ｓ３０４を行い、設定したポート番号Ｎ１をＩＰ電話装置Ｂ３００に通知する接続処理Ｓ３０５により、ＩＰ電話機Ａ２００とＩＰ電話機Ｂ３００と間の通話接続が確立される。
【００５３】
通話開始後は、ポート番号Ｎｘへの変更処理Ｓ３０７と、ポート番号Ｎｘへの変更通知Ｓ３０８、変更ポート番号Ｎｘでの通話Ｓ３０９を一つの処理セットとして切断処理Ｓ３１０実施後の通話終了Ｓ３１１まで繰り返し処理される。
【００５４】
この通話シーケンス第３の例を適用すると、ポート番号の生成処理を通話前に一括して処理することが可能となり、通話中の処理ステップを軽減することができる。
【００５５】
図３から図５迄の通話シーケンスは、ポート番号の切り替え処理がＩＰ電話装置Ａのみ、つまり、通話中の２台のＩＰ電話装置のうちいずれか一方の装置のみで処理される場合を示したが、第４の例として、ポートの切り替え処理がＩＰ電話装置の両装置で相互に行われる通話シーケンスについて説明する。
【００５６】
図６に通話シーケンス第４の例を示したものである。
【００５７】
ＩＰ電話装置Ａ２００におけるポートの切り替え処理は、図５で説明した通話シーケンス第３の例におけるポートの切り替え処理を適用した通話シーケンスで、一方、ＩＰ電話装置Ｂ３００でのポートの切り替え処理は、図３で説明した通話シーケンス第一の例におけるポート番号の切り替え方法を適用した通話シーケンスである。
【００５８】
ＩＰ電話装置Ａ２００は、発呼処理Ｓ４０１で呼制御開始要求Ｓ４０２を送信し、ＩＰ電話装置Ｂ３００を呼出し呼の確立を行う。
【００５９】
ＩＰ電話装置Ａ２００およびＩＰ電話装置Ｂ３００間の呼が確立されると、ＩＰ電話装置Ａ２００は、ポート番号Ｎ１〜Ｎｘまでの変更シナリオの作成Ｓ４０３により、通話中に変更するポート番号を一括して生成する。
【００６０】
そして、最初のポート番号Ｎ１の設定Ｓ４０４後、接続Ｓ４０５処理でＩＰ電話装置Ｂ３００にポート番号Ｎ１の通知し、通話の為の接続処理を行う。
【００６１】
ＩＰ電話装置Ａ２００とＩＰ電話装置Ｂ３００との通話接続が確立されると、ポート番号Ｎ１での通話Ｓ４０６が開始される。
【００６２】
一方、ＩＰ電話装置Ｂ３００は、ポート番号Ｎ１での通話Ｓ４０６実施後、ポート番号Ｂ１の決定Ｓ４０７およびポート番号Ｂ１への変更処理Ｓ４０８を行い、ＩＰ電話装置Ａ２００に対してポート番号Ｂ１への変更通知Ｓ４０９後、ポート番号Ｂ１での通話Ｓ４１０を継続して実施する。
【００６３】
再度、ＩＰ電話装置Ａ２００は、変更シナリオからｘ番目のポート番号Ｎｘへの変更処理Ｓ４１２を実施後、ＩＰ電話装置Ｂ３００に対してポート番号Ｎｘへの変更通知Ｓ４１３を行いポート番号Ｎｘでの通話Ｓ４１４での通話を引き続き実施する。
【００６４】
以降、切断処理Ｓ４１５を経て通話終了Ｓ４１６となるまで、ＩＰ電話装置Ｂ３００のポート切り替え処理とＩＰ電話装置Ａ２００でのポート切り替え処理が相互に実施されながら通話が実施される。
【００６５】
次に、図３から図６までに示した各通話シーケンスで、ポート番号生成時の処理手順について説明する。
【００６６】
第三者からの攻撃に強いポート番号を生成する為に、本発明においては、ポート番号の生成に乱数を使用している。
【００６７】
ポート番号の生成処理は、ＩＰ電話装置内蔵の時計から現在時刻を時刻データとして乱数発生関数に入力して乱数を算出する。
【００６８】
そして、算出した乱数を一定の規則で実際のポート番号に変換しポート番号を生成する。
【００６９】
また、乱数の算出方法としては上記以外に、記憶領域（図２のフラッシュメモリ２０２等）に予め生成される乱数データベースから、乱数を順次読み出す方法等も可能である。
【００７０】
以上、図１におけるＩＰ電話装置同士での通話シーケンスについて説明したが、図１以外の変形例として、ＩＰ電話装置以外の装置における接続例を図７に示す。
【００７１】
図７の構成は、ＩＰ電話装置Ａ２００、ソフトウェア電話機能搭載パソコン１０６、ＩＰ接続機能付交換機１０７がＩＰ網１００接続され、ＩＰ接続機能付交換機１０７を介してＩＰ網に接続される電話回線網１０８と、電話回線網１０８に接続される電話機としては、交換機１１０を介して接続されるアナログ電話機１１１−１、…、１１１−ｎや、交換機／ボタン電話機用多機能電話端末機１０９がある。
【００７２】
この構成により、ＩＰ電話装置Ａ２００は、ＩＰ接続網１００に接続されたソフトウェア電話機能搭載パソコン１０６や、公衆電話回線に接続されているアナログ電話機１１１−１との通話も可能となる。
【００７３】
ここで、図１のＩＰ電話装置Ａ２００、ＩＰ電話装置Ｂ３００の何れか一方あるいは両装置が、ＩＰ電話機能をもつソフトウェアがインストールされているパソコン１０６等に置きかえられた時の通話においても本発明の通信方法が適用可能である。
【００７４】
また、対向する一方の装置がアナログ電話装置で通話を行う場合、電話回線網１０８とＩＰ網１００の間にＩＰ接続機能付の交換機１０７を設置し、交換機／ボタン電話機用多機能電話端末機１０９や、交換機１１０を介してのアナログ電話機１１１−１等との通話が可能となり、この時、図３から図６迄のＩＰ電話装置Ｂ３００をＩＰ接続機能付の交換機１０７に置き換えて本発明の通信方法を適用することが可能である。
【００７５】
【発明の効果】
以上説明したように本発明によれば、ＩＰ電話装置での通話シーケンスにおいて、ポート番号を動的に変更することが可能となり以下の２つの効果を得ることができる。
【００７６】
１）  パケットデータ等の暗号化技術を使用せずに、悪意ある第三者がパケットを傍受することを防御することができる。
【００７７】
２）  セキュリティーの為の高度な暗号ロジックを必要としない為、ＩＰ電話装置での通話を安価に提供することができる。
【図面の簡単な説明】
【図１】本発明に係るＩＰ網を使用したＩＰ電話装置による通信システムの概略図。
【図２】本発明に係るＩＰ電話装置の制御ブロック図。
【図３】本発明のＩＰ電話装置通信システムにおける通話シーケンスの第１の実施例。
【図４】本発明のＩＰ電話装置通信システムにおける通話シーケンスの第２の実施例。
【図５】本発明のＩＰ電話装置通信システムにおける通話シーケンスの第３の実施例。
【図６】本発明のＩＰ電話装置通信システムにおける通話シーケンスの第４の実施例。
【図７】図１以外の装置で構成された通信システムの構成図。
【符号の説明】
１００    ＩＰ網
２００    ＩＰ電話装置Ａ
３００    ＩＰ電話装置Ｂ
２０１    ＣＰＵ
２０２    フラッシュメモリ
２０３    Ｄ−ＲＡＭ
２０４    ＤＳＰ
２０５    ＣＯＤＥＣ
２０６    Ｉ／Ｏコントローラ
２０７    ＩＰ接続インタフェース
２０８    スピーカ
２０９    マイク
２１０    受話器
２１１    キー／キーパット
２１２    表示部
２１３    １０／１００ＢＡＳＥ−Ｔケーブル
１０６    ソフトウェア電話機能搭載パソコン
１０７    ＩＰ接続機能付交換機
１０８    電話回線網
１０９    交換機／ボタン電話機用多機能電話端末機
１１０    交換機
１１１−１、１１１−ｎ    アナログ電話機
【図１】
2004173059.tif 000003
【図２】
2004173059.tif 000004
【図３】
2004173059.tif 000005
【図４】
2004173059.tif 000006
【図５】
2004173059.tif 000007
【図６】
2004173059.tif 000008
【図７】
2004173059.tif 000009